(57)【要約】      （修正有）【課題】かご室の天井、及びその天井に設置された照明器具が薄形省スペースに設計された場合においても、照明板を外すときに工具を使用する必要がなく、照明板の着脱を安全かつ容易に作業できるエレベータかご室を提供する。【解決手段】かご室の天井２に設けられた照明用の開口部２２ａと、この開口部を覆うように配設された照明板５と、開口部の近傍に設けられた照明板を重力方向に保持するための係止部と、照明板に設けられ開口部との水平面方向の相対角度が所定角度のときに開口部を上方向に通過し、通過後所定角度回動したときに係止部に係止されて照明板を固定する係止体８とを備えた。【選択図】図１
2007254062.tif 000002
【特許請求の範囲】
【請求項１】
かご室の天井に設けられた照明用の開口部と、この開口部を覆うように配設された照明板と、上記開口部の近傍に設けられた上記照明板を重力方向に保持するための係止部と、上記照明板に設けられ上記開口部との水平面方向の相対角度が所定角度のときに上記開口部を上方向に通過し、通過後所定角度回動したときに上記係止部に係止されて上記照明板を固定する係止体とを備えたことを特徴とするエレベータのかご室。
【請求項２】
上記係止部及び上記係止体の一方をマグネットとし、他方を磁性体としたことを特徴とする請求項１記載のエレベータのかご室。
【請求項３】
上記係止体は、上記照明板の上部に水平方向に突出された水平翼からなることを特徴とする請求項１または請求項２記載のエレベータのかご室。
【請求項４】
上記開口部の内側上面部に、上記係止体が上記係止部に係止されているときは上記照明板の回動を阻止し、上記照明板を上方に移動して上記係止体が上記係止部から離間したときは上記照明板の回動を許すガイド部材を備えたことを特徴とする請求項１ないし請求項３の何れかに記載のエレベータのかご室。
【発明の詳細な説明】
【技術分野】
【０００１】
この発明はかご室の天井に設けられる照明装置の保守、交換や変更などの作業を容易にしたエレベータのかご室に関する。
【背景技術】
【０００２】
エレベータのかご室の天井に設置される照明器具は、意匠的な装飾が施されたものも多く、その交換時には照明板を立体的な動作、例えば照明板を斜めに向けたり、角度を微調整しながら「知恵の輪」的に外す必要が有ったりするため、脚立等の上で上を向きながらの作業が長時間に及ぶ場合もあり、無理な体勢での作業が強いられていた。
このような課題の解決を図った従来の技術としては、照明カバーを取り付ける固定金具を、器具ボックス側に取り付けられる取付部材と、この取付部材に対向して設けられる板ばね部材と、この板ばね部材と取付部材との間に挟持されるボールとから構成し、板ばね部材に該ボールが係止するところの嵌合孔及び係子片を設け、かつ、照明カバーにボールの位置決め孔となる位置決め孔を設けたものがある（例えば特許文献１参照。）。
また、内側に照明器具が配設された二重天井を、ウインチ及びチェンにより上部天井の下方に上下動可能に吊り下げ、照明器具の交換等の作業を行う場合に、上記二重天井を作業し易い高さまでかご室内に降ろすことができるようにしたものがある（例えば特許文献２参照。）。
【０００３】
【特許文献１】特開２００２−２１１８５８号公報（第１頁、図１）
【特許文献２】特開平７−１３７９６１号公報（第１頁、図１）
【発明の開示】
【発明が解決しようとする課題】
【０００４】
上記のような従来技術においては、特許文献１の照明カバーを器具ボックスにボールで引っ掛ける構造では、意匠的な制約により照明カバーの重量が増加した場合に落下の恐れがあり、さらに脱着のストロークが上下方向となる為、ある程度、天井（器具ボックス）の深さが必要となり、天井をコンパクトな薄型形状に設計することが困難となるという課題があった。また、特許文献２のウインチやガイドローラーを使用し、吊天井部（照明板相当）を下方へ移動させる構造では、構造が複雑で、やはり必要以上に機器の仕組みにスペースを取ってしまう為、天井の薄型化が困難となり、さらに昇降路レイアウトにおいてコンパクト設計の妨げとなる課題があった。
【０００５】
この発明は上記のような従来技術の課題を解消するためになされたもので、かご室の天井、及びその天井に設置された照明器具が薄形省スペースに設計された場合においても、照明板を外すときに工具を使用する必要がなく、照明板の着脱を安全かつ容易に作業できるエレベータかご室を提供することを目的としている。
【課題を解決するための手段】
【０００６】
この発明におけるエレベータのかご室は、かご室の天井に設けられた照明用の開口部と、この開口部を覆うように配設された照明板と、上記開口部の近傍に設けられた上記照明板を重力方向に保持するための係止部と、上記照明板に設けられ上記開口部との水平面方向の相対角度が所定角度のときに上記開口部を上方向に通過し、通過後所定角度回動したときに上記係止部に係止されて上記照明板を固定する係止体とを備えたものである。
【発明の効果】
【０００７】
この発明においては、開口部に配設された照明板を回動させて開口部を通過させ、通過後再び回動させたときに係止部と係止体が係合するように構成したので、照明板の着脱が簡単で、着脱のために工具も必要とせず、照明器具の交換作業を容易にできる。また、着脱に水平面方向の回動を利用しているので、天井部や照明器具が薄形でも構成することができる。
【発明を実施するための最良の形態】
【０００８】
実施の形態１．
図１〜図６はこの発明の実施の形態１によるエレベータのかご室を説明するもので、図１はかご室における薄形省スペースに構成された天井部の全体構成を概略的に示す断面図、図２は図１の丸で囲むＡ部を拡大して示す断面図、図３は図２に矢印Ｂで示す係止部の平面図、図４は図３の係止部を矢印Ｃ方向から見た側面図、図５は図１に示す照明板を図１の矢印Ｄ方向から見たときの要部構成を説明する図、図６は照明板を着脱するときに図５の状態から所定角度回動させた状態を示す図である。なお、各図を通じて同一符号は同一部分を示している。
【０００９】
図において、エレベータのかご室１の天井２は、天井本体を構成する天蓋２１と、この天蓋２１の下側に所定の間隔をあけて設けられたかご室意匠面を構成する吊天井部２２とで構成され、吊天井部２２の中央部には、この例では長方形状の開口部２２ａが設けられている。また、該開口部２２ａの上方に位置する天蓋２１部分には、蛍光ランプ３等の照明器具を取り付けるための照明天蓋２３が設けられ、該照明天蓋２３下部の空間でかご内照明部４が形成されている。吊天井部２２の開口部２２ａ内側上面部には、天井２の意匠品を構成する照明板５の着脱時のガイド及び固定のための、吊天井部２２の剛性確保を兼ねるＬ形のガイド部材６が、開口部２２ａの４辺に沿ってそれぞれ配置されている。
【００１０】
また、各ガイド部材６の長手方向中央部には、照明板５を重力方向に保持するためのマグネットラッチからなる係止部７がそれぞれ固着されている。なお、マグネットラッチの磁力は特に限定されるものではないが、例えば約５〜１０ｋｇ相当／個のものは用いることができる。
上記照明板５は意匠性を向上させるために、この例では例えばアクリル樹脂などの透光性の板材で形成され、周囲４箇所に配設されたスペーサ５ａを介して段になるように離間された大小２枚の楕円形板５１、５２からなっている。上側の楕円形板５１におけるスペーサ５ａ設置部の上面には、上端部に磁性材料からなる水平翼状の取付金である係止体８が固着された同様のスペーサ５ｂがそれぞれ配設され、下側の楕円形板５２の底面から上方向に、該楕円形板５２、スペーサ５ａ、上側の楕円形板５１、スペーサ５ｂ、及び係止体８と順次挿通された４本の化粧ネジ５ｃと、固定ナット５ｄとで相互に固定されて全体が一体的に構成されている。
【００１１】
上記係止体８は、図２、図５に示すように先端部８ａが照明板５の中心部に対し何れも外側を向くように取り付けられ、それぞれ係止部７に対して重力方向に係止されると共に磁力にて吸着され、スペーサ５ａ、５ｂ、化粧ネジ５ｃなどを用いて一体化された照明板５を天井２に係止する。上記Ｌ形のガイド部材６は、立辺が開口部２２ａ側に位置するように設けられ、その立辺に、該立辺の高さが図４に示すように半分程度に形成された、係止体８が回動されるときのスライドガイド部６ａと、回動された係止体８が係止部７の部分で重力方向に移動するように切り欠かれた段部６ｂと、回動された係止体８が係止部７の部分を行き過ぎないように回動角度を制限するストッパー部６ｃが形成されている。
【００１２】
また、開口部２２ａの照明天蓋２３には、照明板５を着脱するときに、図５、図６に示すように半時計方向に所定角度回動させたときに、照明板５に設けた係止体８が開口部２２ａを上下方向に通過できる位置を知らせるためのガイド９ａ、９ｂが対角線方向に２箇所設けられている。なお、このガイド９ａ、９ｂは上端部が照明天蓋２３に固定され、下端部が吊天井部２２の面位置近傍まで伸びて形成され、係止体８をスムーズに天井２内のかご内照明部４に挿入させる機能を有しており、また係止体８と蛍光ランプ３とが接触しないようにして、接触によるキズ及び破損を防止する機能も有している。なお、かご室１の側方部には壁１１が設けられている（図１）。
【００１３】
次に、上記のように構成された実施の形態１の動作について説明する。まず、照明板５本体を天井部に固定する場合、照明板５の長径方向に設置されている２つの係止体８が、かご内照明部４の照明天蓋２３に設置されているガイド９ａ、９ｂと開口部２２ａの隙間Ｅに位置するように矢印Ｆ方向に回動させて略図６の角度に合わせた後、照明板５を上方に持上げて４つの係止体８が何れも開口部２２ａの中に入るように挿入する。次に、照明板５を図６の時計方向に回動させることによって、水平方向に突出されている係止体８がガイド部材６のスライドガイド部６ａの上端に乗る。作業者は容易に照明板５本体を回転スライドさせることが出来る。このとき、係止体８がスライドガイド部６ａの上端をスライドする。
【００１４】
さらに時計方向に回動させることによって、係止体８はガイド部材６のストッパー部６ｃに接触する。ストッパー部６ｃは照明板５本体がそれ以上回転スライド出来なく、また照明板が天井に対して意匠的に最適になる位置に施工されている。ストッパー部６ｃに接触した係止体８はスライドガイド部５ｂから離れる為、照明板５の自重によりガイド部材６に施工された段部６ｂに落とし込まれ、該段部６ｂに設置された係止部７に重力と磁力による吸着力によって係止され、照明板５本体は天井部に固定される。図４に示す一点鎖線の矢印Ｇは係止体８の装着時の軌跡を示している。
【００１５】
また、照明板５を取り外すときは、装着時と反対の手順において作業される。即ち、図４の一点鎖線の矢印Ｈで示す軌跡のように、係止体８が係止部７の吸着力に抗して上方向に外れるように照明板５を持上げた後、スライドガイド部６ａに沿って図３の反時計方向に矢印Ｊのように回動させ、係止体８がガイド９ａ、９ｂに当たる時点で、４つの係止体８が開口部２２ａを通過できるようになるので、照明板５を下方に下げることで取り外すことができる。照明板５の着脱の際、照明板５の上下方向の移動に要するストロークは、図４に示すように、薄形省スペースに形成された天井の高さの範囲内に収まっている。
【００１６】
上記のように、実施の形態１によれば、薄型省スペースに構成された天井２のかご内照明部４の開口部２２ａを塞ぐ照明板５の着脱作業において、照明板５を単に持上げ、回動させるだけで、安全かつ容易に照明板５の係止体８が開口部２２ａから着脱できる。このため、工具を使用する必要がない。これによって従来の難解な照明器具交換作業を容易化することができる他、次のような付随効果も得られる。
【００１７】
１）ランプ器具の交換スペースを最小限に押さえることが可能なので、かご内照明部４の深さを意匠性が損なわれることなく小さく出来、従ってエレベータレイアウトを最小限のスペースに収めながら、簡易的構造で、蛍光ランプ３などの照明器具、照明板５などの保守、交換が容易になる。
２）例えば、吊り下げタイプ等の高級意匠からなる照明板などであっても、その着脱をかご室１内から容易に実施することが可能となり、突き上げ等のイタズラに対しても、回転スライド方式を採用し、ガイド部材６のスライドガイド部６ａの距離も確保しているため、照明板５は安全に天井２本体に固定され照明板５が落下することなく保持できる。
【００１８】
なお、上記照明板５、ガイド部材６、係止部７及び係止体８などの形状や構造、設置個数などは実施の形態で例示したものに限定されないことは言うまでもない。例えば、係止部７を突出体、係止体８を係止部７に嵌合する凹部によって構成し、あるいは照明板５を立体的な形状にするなど、この発明の精神の範囲内で種々の変形や変更が可能である。また、係止部７をマグネットラッチで構成したが、必ずしも磁力で吸着されるものに限定されるものではなく、例えば機械的なばねアクションを利用するものなど、他の係止手段を用いても差し支えない。
【００１９】
なお、マグネットを用いた場合、吸着したものを離間させるときの最初の段階でに大きな力を要するので、イタズラや振動などに対しては有効である。また、照明板５の係止体８としてマグネットを用い、係止部７を磁性体としてもよいことは言うまでもない。また、マグネットラッチからなる係止部７を、吊天井部２２の開口部２２ａ内側上面に設置した補強材を兼ねるガイド部材６に設けたが、開口部２２ａの近傍であれば他の位置、部材に設けても差し支えない。
【図面の簡単な説明】
【００２０】
【図１】この発明の実施の形態１によるエレベータのかご室における薄形省スペースに構成された天井部の全体構成を概略的に示す断面図。
【図２】図１の丸で囲むＡ部を拡大して示す断面図。
【図３】図２に矢印Ｂで示す係止部の平面図。
【図４】図３の係止部を矢印Ｃ方向から見た側面図。
【図５】図１に示す照明板を矢印Ｄ方向から見たときの要部構成を説明する図。
【図６】照明板を着脱するときに図５の状態から所定角度回動させた状態を示す図。
【符号の説明】
【００２１】
１  かご室、  ２  天井、  ２１  天蓋、  ２２  吊天井部、  ２２ａ  開口部、  ２３  照明天蓋、  ３  蛍光ランプ、  ４  かご内照明部、  ５  照明板、  ５１、５２  楕円形板、  ５ａ、５ｂ  スペーサ、  ５ｃ  化粧ネジ、  ５ｄ  固定ナット、  ６  ガイド部材、  ６ａ  スライドガイド部、  ６ｂ  段部、  ６ｃ  ストッパー部、  ７  係止部（マグネットラッチ）、  ８  係止体（水平翼）、  ８ａ  先端部、  ９ａ、９ｂ  ガイド、  １１  壁。
【図１】
2007254062.tif 000003
【図２】
2007254062.tif 000004
【図３】
2007254062.tif 000005
【図４】
2007254062.tif 000006
【図５】
2007254062.tif 000007
【図６】
2007254062.tif 000008